(57)【要約】【課題】  従来のカメラ支持具では、撮像装置用簡易支持具を装着させる容器が必需品であり、容器がない場合は、撮像装置を安定した姿勢で支持することができないという課題がある。また、容器に装着した支持具によって支持する撮像装置におけるレンズの光軸を所望の方向に設定することが困難であり、希望する撮影画像を得ることが難しいという課題もある。【解決手段】  飲料用の缶１０１に着脱可能に装着されると共に載置面に載置するための脚体部６，７，８を有する支持体２と、ねじ部を露出した状態で支持体２に取り付けられると共にねじ部をデジタルスチルカメラ１０５の三脚用ねじ穴に螺合することにより、そのデジタルスチルカメラ１０５を固定可能な固定ねじ３と、を備え、支持体２は、飲料用の缶１０１に装着しない状態において、固定ねじ３で固定されたデジタルスチルカメラ１０５を脚体部６，７，８によって載置面上に支持可能である構成とした。【選択図】  図３
2007025578.tif 000002
【特許請求の範囲】
【請求項１】
円筒状をなす容器又は当該容器の蓋体に着脱可能に装着されると共に載置面に載置するための脚体部を有する支持体と、
ねじ部を露出した状態で前記支持体に取り付けられると共に前記ねじ部を撮像装置の三脚用ねじ穴に螺合することにより当該撮像装置を固定可能な固定ねじと、を備え、
前記支持体は、前記容器又は前記蓋体に装着しない状態において、前記固定ねじで固定された前記撮像装置を前記脚体部によって前記載置面上に支持可能であることを特徴とする撮像装置用簡易支持具。
【請求項２】
前記脚体部は、前記容器の容器本体又は当該容器本体に着脱可能に取り付けられた前記蓋体に対して嵌合可能であると共に、前記容器本体又は前記蓋体を固定する固定手段を設けたことを特徴とする請求項１記載の撮像装置用簡易支持具。
【請求項３】
前記容器は、飲料用の缶であり、前記固定手段は、前記缶の缶本体を側方から押圧する固定ねじ又は前記缶本体を把持する２本以上の弾性片からなることを特徴とする請求項２記載の撮像装置用簡易支持具。
【請求項４】
前記容器は、着脱可能に装着されたキャップを有するペットボトルであり、前記固定手段は、前記キャップを側方から押圧する固定ねじ又は前記キャップを把持する２本以上の弾性片からなることを特徴とする請求項２記載の撮像装置用簡易支持具。
【発明の詳細な説明】
【技術分野】
【０００１】
本発明は、飲料用の缶又はペットボトルのキャップ等の円筒形をなす容器又は容器の蓋体に装着して撮像装置を支持することができると共に、容器又は容器の蓋体に装着しない場合においても、載置面上に撮像装置を安定性良く支持することができる撮像装置用簡易支持具に関するものである。
【背景技術】
【０００２】
従来の、この種の撮像装置用簡易支持具としては、例えば、特許文献１に記載されているようなものがある。特許文献１には、三脚の代替品としてのカメラ支持具に関するものが記載されている。この特許文献１に記載されたカメラ支持具は、「容器の口筒に装着されるキャップ・栓等の封体の上面に、カメラ下面に穿設された螺子孔に螺合する螺子ピンを突設して成る」ことを特徴としている。
【０００３】
このような構成を有する特許文献１に記載のカメラ支持具によれば、「簡単な構成で三脚の代替品として使用することができ、廉価に製造できるので或る種の景品等として頒布することができ、軽量であるので携帯に便利である」等の効果が期待される。
【特許文献１】特開２０００−１７０９９３号公報
【０００４】
しかしながら、上述したようなカメラ支持具においては、プレートの上面に螺子ピンが突設され、そのプレートの下面に截頭円錐形の封体が設けられていて、その封体を容器の口筒の穴に差し込むことにより、容器を三脚の代替品として用いてプレート上に固定した撮像装置（カメラ）を支持する構成となっていた。そのため、カメラ支持具を装着させる容器が必需品であり、撮影時に容器がなければ、撮像装置（カメラ）を安定した姿勢で支持することができないという問題点があった。また、封体の傾きによって撮像装置（カメラ）の傾きが一義的に決定されることから、被写体に向かうレンズの光軸を所望の方向に設定することが困難であり、希望する被写体の撮影画像を得ることが難しいという問題もあった。
【発明の開示】
【発明が解決しようとする課題】
【０００５】
解決しようとする問題点は、従来のカメラ支持具では、容器に装着することで三脚の代替品として撮像装置を支持できるが、撮影時に容器がなければ、撮像装置を安定した姿勢で支持することができないという点である。また、容器に装着した支持具によって支持する撮像装置におけるレンズの光軸を所望の方向に設定することが困難であり、希望する撮影画像を得ることが難しいという点である。
【課題を解決するための手段】
【０００６】
本発明の撮像装置用簡易支持具は、円筒状をなす容器又は容器の蓋体に着脱可能に装着されると共に載置面に載置するための脚体部を有する支持体と、ねじ部を露出した状態で支持体に取り付けられると共にねじ部を撮像装置の三脚用ねじ穴に螺合することによりその撮像装置を固定可能な固定ねじと、を備え、支持体は、容器又は蓋体に装着しない状態において、固定ねじで固定された撮像装置を脚体部によって載置面上に支持可能であることを最も主要な特徴とする。
【発明の効果】
【０００７】
本発明の撮像装置用簡易支持具によれば、飲料用の缶又はペットボトルのキャップ等の円筒形の容器又は蓋体に装着して撮像装置を安定した姿勢で支持することができると共に、容器又は容器の蓋体に装着しない場合においても、支持具自体を載置面に載置して撮像装置を安定した姿勢で支持することができ、ブレのないきれいな撮影を極めて簡単に行うことができる。
【発明を実施するための最良の形態】
【０００８】
円筒状をなす容器又は蓋部に着脱可能に装着されると共に載置面に載置するための脚体部を有する支持体に撮像装置の三脚用ねじ穴に螺合する固定ねじを取り付ける構成としたことにより、飲料用の缶又はペットボトルのキャップ等の円筒形の容器又は蓋体に装着して使用する場合と、装着しないで使用する場合の両方の使用状態において、撮像装置を安定した姿勢で支持することができる撮像装置用簡易支持具を、簡単な構成によって実現した。
【０００９】
以下、本発明の実施の形態を、添付図面を参照して説明する。図１〜図１２は、本発明の実施の形態の例を説明するものである。即ち、図１は本発明の撮像装置用簡易支持具の第１の実施の例を示す外観斜視図、図２は図１の撮像装置用簡易支持具の固定ねじ部分の断面図、図３は図１の撮像装置用簡易支持具の使用状態を示す説明図、図４〜図６は本発明の撮像装置用簡易支持具の第２〜第４の実施の例を示す外観斜視図、図７は図６の底面図、図８は図６の撮像装置用簡易支持具の使用状態を示す説明図、図９は本発明の撮像装置用簡易支持具の第５の実施の例を示す外観斜視図、図１０は図９の平面図、図１１は図９のＸ−Ｘ線断面図、図１２は縦方向の断面した説明図である。
【００１０】
まず、本発明の撮像装置用簡易支持具に取り付けられる撮像装置の一具体例を示すデジタルスチルカメラ１０５ついて説明する。図３等に示すように、デジタルスチルカメラ１０５は、カメラ本体１０６を備えており、そのカメラ本体１０６に沈胴式のレンズ装置１０７が内蔵されている。カメラ本体１０６は、内部に空間が設けられた横長の筐体からなり、そのカメラ本体１０６の長手方向である横方向の一側（本実施例では、カメラに向かって右側）にレンズ装置１０７が配置されている。カメラ本体１０６の内部空間には、図示しないが、各種の電子部品が実装された配線基板、バッテリー電源、記憶装置、その他各種の電子部品や機械部品、装置等が収納されている。また、カメラ本体１０６の上面には、シャッタボタン１０８やズームボタン１０９等の操作ボタンが取り付けられており、下面には、図示しないが、三脚用ねじ穴が設けられている。
【００１１】
図１に示す撮像装置用簡易支持具１は、容器の一具体例を示す飲料用の缶１０１（図３を参照）に着脱可能に装着される支持体２と、この支持体２に取り付けられると共に、デジタルスチルカメラ１０５の三脚用ねじ穴に螺合される固定ねじ３等を備えて構成されている。
【００１２】
撮像装置用簡易支持具１の支持体２は、三叉状に形成された支持台部５と、この支持台部５に連続して下方に延在するように設けた３つの脚体部６，７，８を備えている。支持体２の支持台部５は、缶１０１の直径よりやや大径とされた円形の板体の外周部に等間隔を置いて３つの円弧状の切欠きを設けたような三叉状に形成されており、３つの円弧状の先端辺５ａ，５ｂ，５ｃを有している。また、支持台部５の上面の中央部には、デジタルスチルカメラ１０５を載置するための台座部１０が設けられている。
【００１３】
台座部１０は、支持台部５の上面に連続して上方に突出するように設けた円板状の凸部からなる。この台座部１０の中心部には上下方向に貫通する貫通穴１２が設けられており、この貫通穴１２には、固定ねじ３の後述するねじ軸部１４が貫通される。また、台座部１０の上面には、ゴム等の弾性部材からなるシート部材１３が取り付けられている。シート部材１３は、リング状に形成されており、台座部１０に設けた貫通穴１２の周囲を囲うように配置されている。このシート部材１３は、デジタルスチルカメラ１０５の下面と当接して滑り止めの役割をなすと共に、カメラ本体に傷が付くのを防止するクッション材としての役割も有している。
【００１４】
図２に示すように、固定ねじ３は、支持台部５の貫通穴１２を貫通するねじ軸部１４と、支持台部５の下面側に配置されるつまみ部１５を有している。そして、台座部１０側から突出するねじ軸部１４の軸方向の中途部には、周方向に連続する環状溝１４ａが設けられており、この環状溝１４ａには、抜け止め輪１６が装着されている。これにより、固定ねじ３は、貫通穴１２から抜け落ちることがなく、支持台部５に回転自在に支持されている。
【００１５】
なお、本発明に係る固定ねじとしては、支持台部５に回転自在に支持される構成とすることに限定されるものではなく、支持台部５に形成した台座部１０の上面に固定ねじを直接固定することができることは勿論である。また、支持台部５に台座部１０を形成せずに、支持台部５に固定ねじを直接固定することもできるものである。これらの場合、撮像装置用簡易支持具自体を回転させるか、又は、カメラ本体を回転させることで、固定ねじをカメラ本体の三脚用ねじ穴に螺合させることができる。
【００１６】
支持体２の３つの脚体部６，７，８は、支持台部５の３つの先端辺５ａ，５ｂ，５ｃにそれぞれ連続しており、先端辺５ａ，５ｂ，５ｃに沿って円弧状に形成されている。これら３つの脚体部６，７，８には、支持台部３と反対側、即ち先端側に固定手段の第１の具体例を示す脚カバー１７，１８，１９がそれぞれ取り付けられている。
【００１７】
３つの脚カバー１７，１８，１９は、ゴム等の弾性部材からなり、それぞれ各脚体部６，７，８の下面及び４つの側面を覆っている。これら脚カバー１７，１８，１９のそれぞれの内面１７ａ，１８ａ，１９ａは、撮像装置用簡易支持具１を缶１０１に装着したときに、その缶１０１の外周面に対向される。更に、脚カバー１７，１８，１９の各内面１７ａ，１８ａ，１９ａには、面取り部１７ｂ，１８ｂ，１９ｂがそれぞれ設けられている。これら面取り部１７ｂ，１８ｂ，１９ｂは、各脚体部６，７，８を缶１０１に嵌合させる際の案内部分とされている。
【００１８】
各脚体部６，７，８及び支持台部５の材料としては、例えば、ＡＢＳ（アクリロニトリル・ブタジエン・スチレン樹脂）を挙げることができるが、ＡＢＳに限定されるものではなく、その他のエンジニアリングプラスチックを適用できることは勿論のこと、合成樹脂以外のアルミニウム合金等の金属、木材、陶器等の各種の材料を使用することができる。
【００１９】
このような構成を有する撮像装置用簡易支持具１は、例えば、次のようにして、デジタルスチルカメラ１０５を支持し、缶１０１に装着して使用することができる。まず、撮像装置用簡易支持具１の台座部１０にデジタルスチルカメラ１０５を取り付ける。即ち、固定ねじ３のつまみ部１５を回転させて、デジタルスチルカメラ１０５の下面に設けられた三脚用ねじ穴に固定ねじ３のねじ軸部１４を螺合させる。これにより、撮像装置用簡易支持具１にデジタルスチルカメラ１０５をしっかりと固定することができる。
【００２０】
次に、撮像装置用簡易支持具１を缶１０１に装着する。このとき、まず、缶１０１の上面側に撮像装置用簡易支持具１の３つの脚体部６，７，８の先端側を被せるように臨ませる。このとき、それぞれの脚体部６，７，８に取り付けた各脚カバー１７，１８，１９には面取り部１７ｂ，１８ｂ，１９ｂが設けられているため、その面取り部１７ｂ，１８ｂ，１９ｂによって、缶１０１に対する撮像装置用簡易支持具１の位置合わせを簡単に行うことができる。
【００２１】
その後、撮像装置用簡易支持具１を押し込むと、各脚カバー１７，１８，１９の内面１７ａ，１８ａ，１９ａが缶１０１の外周面に当接し、その缶１０１の外形を少し潰すように嵌合される。そして、缶１０１の上部が、撮像装置用簡易支持具１の支持台部５の底面に当接した状態で、図３に示すように、缶１０１に対する撮像装置用簡易支持具１の装着が完了する。これにより、支持体２の３つの脚体部６，７，８を缶１０１にしっかりと固定させることができる。
【００２２】
このような構成を有する撮像装置用簡易支持具１によれば、３つの脚体部６，７，８が缶１０１に嵌合して缶１０１本体を把持するため、デジタルスチルカメラ１０５を取り付けた撮像装置用簡易支持具１を缶１０１にしっかりと装着して固定することができる。また、缶１０１が手元にない場合でも、３つの脚体部６，７，８によって撮像装置用簡易支持具１を載置面に載置することにより、デジタルスチルカメラ１０５を安定した姿勢で支持することができる。その結果、缶１０１があるときはその缶１０１を利用して、缶１０１がないときは支持具のみでデジタルスチルカメラ１０５の姿勢を固定することができ、ブレのないきれいな撮影を極めて簡単に行うことができる。
【００２３】
図４は、本発明の撮像装置用簡易支持具の第２の実施の例を示すものである。この撮像装置用簡易支持具２１は、固定ねじ２２を姿勢変更可能に支持する構成としたことを特徴としている。この実施例において、前記実施例と同一部分には同一の符号を付して、重複する説明は省略する。
【００２４】
撮像装置用簡易支持具２１の固定ねじ２２は、球面軸部２４と、この球面軸部２４に連続して半径方向に延びるねじ軸部２５と、ねじ軸部２５に軸方向の中途部に設けられた台座部２６等を備えている。固定ねじ２２に台座部２６は、所定の厚みを有する円形の板体からなり、中心部においてねじ軸部２５が貫通されて固定されている。この台座部２６の上面には、第１の実施の例の台座部１０のシート部材１３と同様のシート部材２７が取り付けられている。
【００２５】
固定ねじ２２の球面軸部２４は、支持台部５の上面の略中央部に設けられたボス部２９に支持されている。支持台部５のボス部２９は、略円柱状をなしており、固定ねじ２２の球面軸部２４を保持する球面軸受穴２９ａを有している。この球面軸受穴２９ａは、球面軸部２４に対応するように湾曲して形成されており、球面軸部２４を球面移動可能に支持している。更に、球面軸受穴２９ａの開口部は、ボス部２９の上面から側面にかけてスリット状に形成されており、この開口部に沿って固定ねじ２２のねじ軸部２５が旋回可能とされている。即ち、固定ねじ２２は、ねじ軸部２５の軸心がボス部２９の上面と略垂直になる状態と、球面軸受穴２９ａの側面側の開口部に挿通してボス部２５の上面と略平行になる状態との略９０度の角度範囲内を旋回可能とされている。
【００２６】
また、ボス部２９の側面には、球面軸受穴２９ａに達するねじ穴が設けられていて、このねじ穴に締付けねじ３０が螺合されている。この締付けねじ３０によって球面軸受穴２９ａに支持された固定ねじ２２の球面軸部２４を押圧することにより、固定ねじ２２が所望の傾斜姿勢で固定されるようになっている。
【００２７】
このような構成を有する撮像装置用簡易支持具２１によれば、カメラに設けられた三脚用ねじ穴に固定ねじ２２のねじ軸部２４を螺合して台座部２６にカメラを取り付け、締付けねじ３０で姿勢を調節することにより、カメラを所望の姿勢に固定することができ、希望する角度での撮影を簡単に行うことができる。
【００２８】
図５は、本発明の撮像装置用簡易支持具の第３の実施の例を示すものである。この撮像装置用簡易支持具３１が、第１の実施の例の撮像装置用簡易支持具１と異なるところは、支持体３２に設けた固定手段である。この実施の例の構成のうち第１の実施の例の撮像装置用簡易支持具１と共通する部分には、同一符号を付して詳細な説明を省略する。
【００２９】
撮像装置用簡易支持具３１の支持体３２は、円形の板体からなる支持台部３３と、この支持台部３３の外周縁に等間隔をおいて連続する固定手段の第２の具体例を示す３つの脚体部３４，３５，３６等からなっている。支持体３２の３つの脚体部３４，３５，３６は、それぞれ支持台部３３の平面方向対して略平行な部分と略垂直な部分からなる略Ｌ字状をなしている。このようにL字状に形成したことにより、各脚体部３４，３５，３６に弾性を付与し、支持台部３３の半径方向に適度量弾性変形可能に構成している。これら３つの脚体部３４，３５，３６の先端部には、支持台部３３の半径方向内側に突出する突部３４ａ，３５ａ，３６ａ（突部３６ａは図には表れない）が設けられている。
【００３０】
このような構成を有する撮像装置用簡易支持具３１は、３つの脚体部３４，３５，３６で飲料用の缶を把持することにより、その飲料用の缶にカメラを固定することができる。この際、３つの脚体部３４，３５，３６は、突部３４ａ，３５ａ，３６ａが飲料用の缶の側面に当接した状態で弾性変形し、その弾性力によって飲料用の缶を把持することができる。しかも、３つの脚体部３４，３５，３６には、飲料用の缶に当接される各突部３４ａ，３５ａ，３６ａを設けたため、すべりを抑制してしっかりと把持することができ、これにより、撮像装置用簡易支持具３１が飲料用の缶に確実に固定することができる。また、飲料用の缶が手元にない場合においても、３つの脚体部３４，３５，３６によって撮像装置用簡易支持具３１を載置面に載置することができ、これにより、カメラを安定した姿勢で支持することができる。
【００３１】
この装置用簡易支持具３１の支持台部３３及び３つの脚体部３４，３５，３６の材料も前記実施例と同様に、ＡＢＳその他のエンジニアリングプラスチックを適用できることは勿論のこと、金属、木材等を用いることができる。
【００３２】
図６〜図８は、本発明の撮像装置用簡易支持具の第４の実施の例を示すものである。この撮像装置用簡易支持具４１は、第２の実施の例と同様に固定ねじ２２が姿勢変更可能に支持されている。この実施例において、前記実施例と同一部分には同一の符号を付して、重複する説明は省略する。撮像装置用簡易支持具４１は飲料用の缶１０１（図７及び図８を参照）に着脱可能に装着される支持体４２と、この支持体４２に姿勢変更可能に支持される固定ねじ２２等を備えて構成されている。
【００３３】
撮像装置用簡易支持具４１の支持体４２は、円形の板体からなる支持台部４３と、この支持台部４３の外周縁に連続して下方に延在する３つの脚体部４４，４５，４６等からなっている。支持体４２の支持台部４３は、その直径が缶１０１の直径よりもややく設定されている。また、支持台部４３には、表裏面を貫通する複数の覗き窓４７ａ，４７ｂ（本実施例では２つ）が設けられている。
【００３４】
支持台部４３の２つの覗き窓４７ａ，４７ｂは、それぞれ支持台部４３の外周縁に沿って延びる円弧状の長穴とされていて、支持台部４３の中心部を中心として対称に配置されている。これら覗き窓４７ａ，４７ｂから缶の蓋面を見て両覗き窓４７ａ，４７ｂにおける蓋面までの距離の移動を目視することにより、缶１０１に対する撮像装置用簡易支持具４１の装着状態を確認することができる。
【００３５】
支持体４２の３つの脚体部４４，４５，４６は、支持台部４３の外周縁に等間隔に配置されている。これら３つの脚体部４４，４５，４６のうちの第１の脚体部４４に固定手段の第３の具体例を示すロックねじ４８が取り付けられている。そのため、第１の脚体部４４には、表裏面を支持台部４３の半径方向に貫通するねじ穴が設けられており、このねじ穴にロックねじ４８のねじ軸部が螺合されている。このロックねじ４８により缶１０１の側面を押圧することで、缶１０１の側面が、これに対向する第２及び第３の脚体部４５，４６の内面に圧着される。これにより、３つの脚体部４４，４５，４６で缶１０１を狭持し、支持体４２を缶にしっかりと固定することができる。
【００３６】
なお、本実施例においては、缶１０１の側面をロックねじ４８の端部で直接押圧する構成としたが、このロックねじ４８の端部にカバー部材を取り付け、缶１０１の側面に傷が付くことを防止するようにしても良い。
【００３７】
このような構成を有する撮像装置用簡易支持具４１は、例えば、次のようにして、デジタルスチルカメラ１０５を支持して、缶１０１に装着して使用することができる。まず、撮像装置用簡易支持具４１にデジタルスチルカメラ１０５を取り付ける。即ち、デジタルスチルカメラ１０５の下面に設けられた三脚用ねじ穴に固定ねじ２２のねじ軸部２４を螺合させて、デジタルスチルカメラ１０５を台座部２６に固定する。これにより、デジタルスチルカメラ１０５は、撮像装置用簡易支持具４１に取り付けられ、その撮像装置用簡易支持具４１に対して姿勢変更可能とされる。
【００３８】
次に、デジタルスチルカメラ１０５が取り付けられた撮像装置用簡易支持具４１を缶１０１に装着する。このとき、まず、缶１０１の上面側に撮像装置用簡易支持具４１の３つの脚体部４４，４５，４６を被せ、缶１０１の上部に支持台部４３の内面が当接するまで押し込む。この際、ロックねじ４８は予め適当な量だけ緩めておき、第２及び第３の脚体部４５，４６との間の隙間を大きく確保しておくことにより、撮像装置用簡易支持具５１を缶１０１に簡単に被せることができる。その後、ロックねじ４８によって缶１０１の側面を押圧する。これにより、第２及び第３の脚体部４５，４６とロックねじ４８とで缶１０１を狭持し、図８に示すように、撮像装置用簡易支持具５１を缶１０１に装着して固定することができる。
【００３９】
この撮像装置用簡易支持具４１によれば、ロックねじ４８で缶１０１の側面を押圧し、第２及び第３の脚体部４５，４６に缶１０１を圧着させて簡単に固定することができる。更に、固定ねじ２２の球面軸部２４をボス部２９の球面軸受穴２９ａによって球面移動可能に支持する構成としたことにより、この固定ねじ２２に固定されるデジタルスチルカメラ１０５の姿勢変更を容易に行うことができ、所望の角度で簡単に撮影することができる。また、缶１０１が手元にない場合においても、３つの脚体部４４，４５，４６によって撮像装置用簡易支持具４１を載置面に載置することができ、これにより、デジタルスチルカメラ１０５を安定した姿勢で支持することができる。
【００４０】
図９〜１２は、本発明の撮像装置用簡易支持具の第５の実施の例を示すものである。図９等に示すように、撮像装置用簡易支持具５１は、容器の第２の具体例を示すペットボトル１０２に用いて好適な実施の例を示すものである。この実施例において、前記実施例と同一部分には同一の符号を付して、重複する説明は省略する。
【００４１】
撮像装置用簡易支持具５１は、ペットボトル１０２のキャップ１０２ａに着脱可能に装着される支持体５２と、この支持体５２に取り付けられる固定ねじ３等を備えて構成されている。撮像装置用簡易支持具５１の支持体５２は、ペットボトル１０２のキャップ１０２ａに装着される装着部材５３と、この装着部材５３に回動可能に支持されると共に固定ねじ３が取り付けられる回動台部５４等を備えている。
【００４２】
支持体５２の装着部材５３は、円形の板体からなる上面部５６と、この上面部５６の外周縁に連続して筒体をなす側面部５７と、側面部５７の上面部５６と反対側に等間隔（１２０度等配）をおいて連続する３つの脚体部５９，６０，６１等からなっている。図１１等に示すように、側面部５７の第１の脚体部５９と反対側には、外側面から突出した側面ボス部６３が設けられており、この側面ボス部６３は、軸突起６３ａを有している。この軸突起５７ａは、回動台部５４の後述する貫通穴６８を貫通される。
【００４３】
装着部材５３の３つの脚体部５９，６０，６１は、それぞれ上面部５６に対して略垂直に延在する基部と、上面部５６の半径方向外側に延在する先端部とからなる略Ｌ字状をなしている。３つの脚体部５９，６０，６１の先端部は、撮像装置用簡易支持具５１を載置する際に載置面に当接される部分であり、その載置面に略平行となるように設定されている。この３つの先端部を載置面に接触させることにより、撮像装置用簡易支持具５１を安定性良く載置面に載置することができる。これら３つの脚体部５９，６０，６１の先端部には、滑り止め用のゴムキャップ７１，７２，７３がそれぞれ取り付けられている。
【００４４】
図１２等に示すように、第１の脚体部５９の基部には、脚体ボス部６４が設けられており、この脚体ボス部６４には、側面ボス部６３の軸突起６３ａの軸心線と穴中心を一致させたねじ穴が設けられている。このねじ穴には、ペットボトル１０２に装着されたキャップ１０２ａを側方から押圧してロックするための固定手段としてのロックねじ６５が螺合される。そして、図１１に示すように、第２及び第３の脚体部６０，６１の基部は、ロックねじ６５によって押圧されたペットボトル１０２のキャップ１０２ａが当接されるようになっている。
【００４５】
支持体５２の回動台部５４は、図９等に示すように、固定ねじ３が回転自在に支持される本体部５４ａと、この本体部５４ａの対向する２辺に連続して下方に延在する２つ腕部５４ｂ，５４ｃとを備えている。図１２等に示すように、回動台部５４の２つ腕部５４ｂ，５４ｃの先端側には、それぞれ貫通穴６８，６９が設けられており、これら２つの貫通穴６８，６９は、互いに中心が一致するように設定されている。そして、第１の腕部５４ｂの貫通穴６８に側面ボス部６３の軸突起６３ａが貫通され、第２の腕部５４ｃの貫通穴６９にロックねじ６５のねじ軸部６５ａが貫通されていて、これにより、回動台部５４が支持部材５３に回動可能に支持されている。更に、ロックねじ６５のねじ軸部６５ａには、ロックナット７０が螺合されている。このロックナット７０の締め込みにより回動台部５４が締付固定され、その回動角度を調節することによって任意の姿勢で回動台部５４を固定することができる。
【００４６】
このような構成を有する撮像装置用簡易支持具５１は、例えば、次のようにして、デジタルスチルカメラ１０５を支持して、ペットボトル１０２のキャップ１０２ａに装着して固定させることができる。まず、撮像装置用簡易支持具５１の回動台部５４にデジタルスチルカメラ１０５を取り付ける。即ち、デジタルスチルカメラ１０５の下面に設けられた三脚用ねじ穴に固定ねじ３を螺合させる。なお、固定ねじ３は回動台部５４に支持されており、撮像装置用簡易支持具５１をペットボトル１０２のキャップ１０２ａに装着した後でも固定ねじ３を回転させることができる構成となっているため、先に、撮像装置用簡易支持具５１をペットボトル１０２のキャップ１０２ａに装着してもよい。
【００４７】
次に、デジタルスチルカメラ１０５が取り付けられた撮像装置用簡易支持具５１をペットボトル１０２のキャップ１０２ａに装着する。このとき、まず、キャップ１０２ａの上面側に撮像装置用簡易支持具５１の３つの脚体部５９，６０，６１を被せ、キャップ１０２ａの上面に装着部材５３の上面部５６の内面が当接するまで挿入する。その後、ロックねじ６５のねじ軸部６５ａによってキャップ１０２ａの側面を押圧する。これにより、第２及び第３の脚体部６０，６１とロックねじ６５とでキャップ１０２ａが狭持され、図９に示すように、デジタルスチルカメラ１０５を取り付けた撮像装置用簡易支持具５１がペットボトル１０２のキャップ１０２ａに装着されて固定される。
【００４８】
この撮像装置用簡易支持具５１によれば、ペットボトル１０２のキャップ１０２ａの外周部を第２及び第３の脚体部６０，６１とロックねじ６５とで狭持しているため、キャップ１０２ａが装着されるペットボトル１０２の口部を汚したり、撮像装置用簡易支持具５１に、ペットボトル１０２の内容物、例えば、お茶やジュース等が付着したりすることがなく、ペットボトル１０２の口部や撮像装置用簡易支持具５１が汚れて不衛生になるおそれがない。また、キャップ１０２ａが装着されたペットボトル１０２が手元にない場合においても、３つの脚体部５９，６０，６１によって撮像装置用簡易支持具５１を載置面に載置してデジタルスチルカメラ１０５を安定した姿勢で支持することができ、ブレのない撮影を実行することができる。
【００４９】
以上説明したように、本発明の撮像装置用簡易支持具によれば、容器又はその蓋体に対して支持体を簡単に着脱することができ、三脚の代用品として使用可能であると共に、カメラの保持具として用いてカメラを安定性良く保持することができる。また、容器又は蓋体の上部が支持体の面に当接するまで挿入することにより、カメラを垂直方向に容易に支持することができ、撮像装置用簡易支持具を容器又はその蓋体に対して傾いた状態で装着してしまう心配がない。その結果、撮像装置用簡易支持具に取り付けた撮像装置のレンズの光軸を、希望する方向に容易に一致させることができ、所望の撮像画面を簡単に得ることができる。
【００５０】
本発明は、前述しかつ図面に示した実施の形態に限定されるものではなく、その要旨を逸脱しない範囲内で種々の変形実施が可能である。例えば、前記実施例においては、撮像装置としてデジタルスチルカメラを適用した例について説明したが、スチルカメラ、使い捨てカメラ、ビデオカメラその他の撮像装置にも適用できるものである。
【図面の簡単な説明】
【００５１】
【図１】本発明の撮像装置用簡易支持具の第１の実施例を示す斜視図である。
【図２】図１に示す撮像装置用簡易支持具の固定ねじの取付状態を示す断面図である。
【図３】図１に示す撮像装置用簡易支持具にデジタルスチルカメラを取り付けて飲料用の缶に装着した使用状態を示す説明図である。
【図４】本発明の撮像装置用簡易支持具の第２の実施例を示す斜視図である。
【図５】本発明の撮像装置用簡易支持具の第３の実施例を示す斜視図である。
【図６】本発明の撮像装置用簡易支持具の第４の実施例を示す斜視図である。
【図７】図６に示す撮像装置用簡易支持具の底面図である。
【図８】図６に示す撮像装置用簡易支持具にデジタルスチルカメラを取り付けて飲料用の缶に装着した使用状態を示す説明図である。
【図９】本発明の撮像装置用簡易支持具の第５の実施例を示すものであり、デジタルスチルカメラを取り付けると共にペットボトルの蓋体に装着した使用状態を示す説明図である。
【図１０】図９に示す撮像装置用簡易支持具の平面図である。
【図１１】図９に示す撮像装置用簡易支持具のロックねじ部分を水平方向に断面して示す説明図である。
【図１２】図９に示す撮像装置用簡易支持具のロックねじ部分を垂直方向に断面して示す説明図である。
【符号の説明】
【００５２】
１，２１，３１，４１，５１…撮像装置用簡易支持具、  ２，３２，４２，５２…支持体、  ３，２２…固定ねじ、  ５，３３，４３…支持台部、  ６，７，８，３４，３５，３６，４４，４５，４６，５９，６０，６１…脚体部、  １０，２６…台座部、  １３，２７…シート部材、  １４，２５…ねじ軸部、  １５…つまみ部、  １６…抜け止め輪、  １７，１８，１９…脚カバー（固定手段）、  １７ｂ，１８ｂ，１９ｂ…面取り部、  ２４…球面軸部、    ２９…ボス部、  ２９ａ…球面軸受穴、  ３０…締付けねじ、  ３４ａ，３５ａ，３６ａ…突部、  ４８，６５…ロックねじ（固定手段）、  ５３…装着部材、  ５４…回動台部、  ５６…上面部、  ５７…側面部、  ６３…側面ボス部、  ６４…脚体ボス部、  １０１…缶（容器）、  １０２…ペットボトル（容器）、  １０２ａ…キャップ（蓋体）、  １０５…デジタルスチルカメラ（撮像装置）
【図１】
2007025578.tif 000003
【図２】
2007025578.tif 000004
【図３】
2007025578.tif 000005
【図４】
2007025578.tif 000006
【図５】
2007025578.tif 000007
【図６】
2007025578.tif 000008
【図７】
2007025578.tif 000009
【図８】
2007025578.tif 000010
【図９】
2007025578.tif 000011
【図１０】
2007025578.tif 000012
【図１１】
2007025578.tif 000013
【図１２】
2007025578.tif 000014